(57)【要約】【課題】地上デジタル波テレビジョン方式では不可能であった録画された番組に付属するテレビ広告の内容を最新のものに差し替える。【解決手段】記録装置４１はテレビ番組送出装置２から供された前記テレビ番組映像データとこれに付属するテレビ広告映像データと共に、広告主識別子、テレビ広告識別子、広告視聴時期情報を含んだテレビ広告付加情報を録画する。前記録画された映像データの再生の際、差替判定手段４２は、テレビ広告付加情報を参照して録画されたテレビ広告映像データの視聴時期が過ぎている判断すると、当該データを配信する広告配信サーバ６に新しい広告の問い合わせを行う。広告配信サーバ６において同一の広告主が提供する新しい広告があれば、テレビ録画装置４は、サーバ６から新しいテレビ広告を受信し、前記記録されたテレビ広告映像データを前記受信した新たなテレビ広告映像データに逐次的に差替えて再生する。【選択図】図１
2010283782.tif 000002
【特許請求の範囲】
【請求項１】
録画されたテレビ番組の中にある広告を、録画されたテレビ番組の再生時に、広告主が指定した最新のテレビ広告に差し替えるテレビ広告差替えシステムであって、
テレビ番組送出手段から供されたテレビ番組映像データ、テレビ広告映像データ及びテレビ広告付加情報を記録する記録手段から引き出した前記テレビ広告付加情報の広告視聴時期情報を参照し、前記テレビ広告映像データの視聴時期が過ぎていると判断すると、前記テレビ広告映像データを配信する広告配信サーバに対して前記テレビ広告付加情報に含まれる広告主識別子とテレビ広告識別子とを送信して新しい広告映像データがあるかを問い合わせ、新しい広告映像データへの差替えの必要があると判断された場合に、当該広告配信サーバから前記広告主識別子と前記テレビ広告識別子とに対応した差替え用のテレビ広告識別子を受信する差替判定手段と、
この差替判定手段から前記差替え用のテレビ広告識別子を受け、この識別子と共に差替えるべきテレビ広告映像データの要求を前記広告配信サーバに通知し、このサーバから前記テレビ広告識別子に対応した新たなテレビ広告映像データを受信し、前記記録手段に記録されていたテレビ広告映像データを前記受信した新たなテレビ広告映像データに逐次的に差替えて再生する映像再生手段と
を有すること
を特徴とするテレビ広告差替えシステム。
【請求項２】
前記差替判定手段は、前記テレビ番組の録画時に前記記録手段にて当該テレビ番組に付属するテレビ広告付加情報が一括して保存されてなる一括テレビ広告付加情報を参照し、前記テレビ広告映像データの視聴時期が過ぎているとき、前記テレビ広告映像データを配信する広告配信サーバに対して前記一括テレビ広告付加情報に含まれる広告主識別子とテレビ広告識別子とを送信して新しい広告映像データがあるかを問い合わせ、新しい広告映像データへの差替えの必要がある場合、当該広告配信サーバから前記広告主識別子と前記テレビ広告識別子とに対応した差替え用のテレビ広告識別子を受信すること
を特徴とする請求項１に記載のテレビ広告差替えシステム。
【請求項３】
前記映像再生手段は、前記差替判定手段から前記差替え用のテレビ広告識別子を受け、この識別子と共に差替えるべきテレビ広告映像データの要求を前記広告配信サーバに通知し、このサーバから前記テレビ広告識別子に対応した新たなテレビ広告映像データを一括的に受信して一時的に保存すること
を特徴とする請求項２に記載のテレビ広告差替えシステム。
【請求項４】
前記映像再生手段は、前記記録手段に記録されたテレビ番組映像データの再生時に、当該記録手段に記録されていたテレビ広告映像データを、前記一時的に保存しておいた新たなテレビ広告映像データに差替えて再生すること
を特徴とする請求項３に記載のテレビ広告差替えシステム。
【請求項５】
録画されたテレビ番組の中にある広告を、録画されたテレビ番組の再生時に、広告主が指定した最新のテレビ広告に差し替えるテレビ広告差替え方法であって、
差替判定手段が、テレビ番組送出手段から供されたテレビ番組映像データ、テレビ広告映像データ及びテレビ広告付加情報を記録する記録手段から引き出した前記テレビ広告付加情報の広告視聴時期情報を参照し、前記テレビ広告映像データの視聴時期が過ぎていると判断すると、前記テレビ広告映像データを配信する広告配信サーバに対して前記テレビ広告付加情報に含まれる広告主識別子とテレビ広告識別子とを送信して新しい広告映像データがあるかを問い合わせ、新しい広告映像データへの差替えの必要があると判断された場合に、当該広告配信サーバから前記広告主識別子と前記テレビ広告識別子とに対応した差替え用のテレビ広告識別子を受信するステップと、
映像再生手段が、前記差替判定手段から前記差替え用のテレビ広告識別子を受け、この識別子と共に差替えるべきテレビ広告映像データの要求を前記広告配信サーバに通知し、このサーバから前記テレビ広告識別子に対応した新たなテレビ広告映像データを受信し、前記記録手段に記録されていたテレビ広告映像データを前記受信した新たなテレビ広告映像データに逐次的に差替えて再生するステップと
を有すること
を特徴とするテレビ広告差替え方法。
【請求項６】
前記差替判定手段が、前記テレビ番組の録画時に前記記録手段にて当該テレビ番組に付属するテレビ広告付加情報が一括して保存されてなる一括テレビ広告付加情報を参照し、前記テレビ広告映像データの視聴時期が過ぎているとき、前記テレビ広告映像データを配信する広告配信サーバに対して前記一括テレビ広告付加情報に含まれる広告主識別子とテレビ広告識別子とを送信して新しい広告映像データがあるかを問い合わせ、新しい広告映像データへの差替えの必要がある場合、当該広告配信サーバから前記広告主識別子と前記テレビ広告識別子とに対応した差替え用のテレビ広告識別子を受信するステップ
をさらに有すること
を特徴とする請求項５に記載のテレビ広告差替え方法。
【請求項７】
前記映像再生手段が、前記差替判定手段から前記差替え用のテレビ広告識別子を受け、この識別子と共に差替えるべきテレビ広告映像データの要求を前記広告配信サーバに通知し、このサーバから前記テレビ広告識別子に対応した新たなテレビ広告映像データを一括的に受信して一時的に保存するステップ
をさらに有すること
を特徴とする請求項６に記載のテレビ広告差替え方法。
【請求項８】
前記映像再生手段が、前記記録手段に記録されたテレビ番組映像データの再生時に、当該記録手段に記録されていたテレビ広告映像データを、前記一時的に保存しておいた新たなテレビ広告映像データに差替えて再生するステップ
をさらに有すること
を特徴とする請求項７に記載のテレビ広告差替え方法。
【請求項９】
録画されたテレビ番組の中にある広告を、録画されたテレビ番組の再生時に、広告主が指定した最新のテレビ広告に差し替えるテレビ録画装置であって、
テレビ番組送出手段から供されたテレビ番組映像データ、テレビ広告映像データ及びテレビ広告付加情報を記録する記録手段から引き出した前記テレビ広告付加情報の広告視聴時期情報を参照し、前記テレビ広告映像データの視聴時期が過ぎていると判断すると、前記テレビ広告映像データを配信する広告配信サーバに対して前記テレビ広告付加情報に含まれる広告主識別子とテレビ広告識別子とを送信して新しい広告映像データがあるかを問い合わせ、新しい広告映像データへの差替えの必要があると判断された場合に、当該広告配信サーバから前記広告主識別子と前記テレビ広告識別子とに対応した差替え用のテレビ広告識別子を受信する差替判定手段と、
この差替判定手段から前記差替え用のテレビ広告識別子を受け、この識別子と共に差替えるべきテレビ広告映像データの要求を前記広告配信サーバに通知し、このサーバから前記テレビ広告識別子に対応した新たなテレビ広告映像データを受信し、前記記録手段に記録されていたテレビ広告映像データを前記受信した新たなテレビ広告映像データに逐次的に差替えて再生する映像再生手段と
を備えたこと
を特徴とするテレビ録画装置。
【請求項１０】
請求項１から４のいずれか１項に記載のテレビ広告差替えシステムを構成する各手段としてコンピュータを機能させるテレビ広告差替えプログラム。
【発明の詳細な説明】
【技術分野】
【０００１】
本発明は、家庭にあるテレビ録画装置に録画されたテレビ番組の中にある広告を、録画されたテレビ番組の再生時に、広告主が実施しているプロモーションに応じて、最新のテレビ広告に差し替える技術に関する。
【背景技術】
【０００２】
従来は番組と広告を一緒に録画し、再生するときには録画されたとおりに番組と広告を再生することしかできなかった。もしくは蓄積型放送という、番組と広告の映像データを、放送波を通じて、家庭内の映像蓄積機に一時的に蓄積し、視聴者は蓄積機に蓄えられた映像を見るという特殊なテレビ放送方式を使った場合にのみ可能であった。蓄積型放送では、家庭内の映像蓄積機に蓄積されたテレビ広告データを、新しいテレビ広告映像データに上書きすることで、テレビ番組が視聴されたときに広告主が実施しているプロモーションに応じたテレビ広告を再生することが可能であった（特許文献１）。
【先行技術文献】
【特許文献】
【０００３】
【特許文献１】特開２００３−２８４０４１
【発明の概要】
【発明が解決しようとする課題】
【０００４】
録画されたテレビ広告が再生された時には、広告しているセール期間がすでに終了していることや、広告している商品が製造中止になっている場合もありうる。また、前述の通り蓄積型放送という特殊な放送手段を使った方法では、広告の差し替えが可能であったが、今後主流となる日本における地上デジタル波テレビジョン方式（ＩＳＤＢ−Ｔ）では実現できない。このため地上デジタル波テレビジョン方式でも利用できるテレビ広告差し替え技術が必要となる。
【課題を解決するための手段】
【０００５】
そこで、本発明は、記録手段に録画されたテレビ広告を再生するときに、テレビ広告と共に前記記録手段に記録された広告主識別子とテレビ広告識別子と広告視聴時期とを含んだテレビ広告付加情報を参照する。そして、この参照に基づく新たなテレビ広告の配信要求によって広告配信サーバから配信してもらった当該テレビ広告を再生することで、最新の広告情報の提供を可能とさせている。
【０００６】
すなわち、本発明のテレビ広告差替えシステムの態様としては、録画されたテレビ番組の中にある広告を、録画されたテレビ番組の再生時に、広告主が指定した最新のテレビ広告に差し替えるテレビ広告差替えシステムであって、テレビ番組送出手段から供されたテレビ番組映像データ、テレビ広告映像データ及びテレビ広告付加情報を記録する記録手段から引き出した前記テレビ広告付加情報の広告視聴時期情報を参照し、前記テレビ広告映像データの視聴時期が過ぎていると判断すると、前記テレビ広告映像データを配信する広告配信サーバに対して前記テレビ広告付加情報に含まれる広告主識別子とテレビ広告識別子とを送信して新しい広告映像データがあるかを問い合わせ、新しい広告映像データへの差替えの必要があると判断された場合に、当該広告配信サーバから前記広告主識別子と前記テレビ広告識別子とに対応した差替え用のテレビ広告識別子を受信する差替判定手段と、この差替判定手段から前記差替え用のテレビ広告識別子を受け、この識別子と共に差替えるべきテレビ広告映像データの要求を前記広告配信サーバに通知し、このサーバから前記テレビ広告識別子に対応した新たなテレビ広告映像データを受信し、前記記録手段に記録されていたテレビ広告映像データを前記受信した新たなテレビ広告映像データに逐次的に差替えて再生する映像再生手段とを有する。
【０００７】
また、本発明のテレビ広告差し替え方法としては、録画されたテレビ番組の中にある広告を、録画されたテレビ番組の再生時に、広告主が指定した最新のテレビ広告に差し替えるテレビ広告差替え方法であって、差替判定手段が、テレビ番組送出手段から供されたテレビ番組映像データ、テレビ広告映像データ及びテレビ広告付加情報を記録する記録手段から引き出した前記テレビ広告付加情報の広告視聴時期情報を参照し、前記テレビ広告映像データの視聴時期が過ぎていると判断すると、前記テレビ広告映像データを配信する広告配信サーバに対して前記テレビ広告付加情報に含まれる広告主識別子とテレビ広告識別子とを送信して新しい広告映像データがあるかを問い合わせ、新しい広告映像データへの差替えの必要があると判断された場合に、当該広告配信サーバから前記広告主識別子と前記テレビ広告識別子とに対応した差替え用のテレビ広告識別子を受信するステップと、映像再生手段が、前記差替判定手段から前記差替え用のテレビ広告識別子を受け、この識別子と共に差替えるべきテレビ広告映像データの要求を前記広告配信サーバに通知し、このサーバから前記テレビ広告識別子に対応した新たなテレビ広告映像データを受信し、前記記録手段に記録されていたテレビ広告映像データを前記受信した新たなテレビ広告映像データに逐次的に差替えて再生するステップとを有する。
【０００８】
本発明のテレビ録画装置の態様としては、録画されたテレビ番組の中にある広告を、録画されたテレビ番組の再生時に、広告主が指定した最新のテレビ広告に差し替えるテレビ録画装置であって、テレビ番組送出手段から供されたテレビ番組映像データ、テレビ広告映像データ及びテレビ広告付加情報を記録する記録手段から引き出した前記テレビ広告付加情報の広告視聴時期情報を参照し、前記テレビ広告映像データの視聴時期が過ぎていると判断すると、前記テレビ広告映像データを配信する広告配信サーバに対して前記テレビ広告付加情報に含まれる広告主識別子とテレビ広告識別子とを送信して新しい広告映像データがあるかを問い合わせ、新しい広告映像データへの差替えの必要があると判断された場合に、当該広告配信サーバから前記広告主識別子と前記テレビ広告識別子とに対応した差替え用のテレビ広告識別子を受信する差替判定手段と、この差替判定手段から前記差替え用のテレビ広告識別子を受け、この識別子と共に差替えるべきテレビ広告映像データの要求を前記広告配信サーバに通知し、このサーバから前記テレビ広告識別子に対応した新たなテレビ広告映像データを受信し、前記記録手段に記録されていたテレビ広告映像データを前記受信した新たなテレビ広告映像データに逐次的に差替えて再生する映像再生手段とを備える。
【０００９】
尚、本発明は前記テレビ広告差し替えシステムまたはテレビ録画装置を構成する各手段としてコンピュータを機能させるテレビ広告差し替えプログラムまたはこれを記録したコンピュータ読み取り可能な記録媒体の態様とすることもできる。
【発明の効果】
【００１０】
したがって、以上の発明によれば、地上デジタル波テレビジョン方式では不可能であった録画された番組に付属するテレビ広告の内容を最新のものに差し替えることができる。
【図面の簡単な説明】
【００１１】
【図１】本発明の第一の実施形態に係るテレビ広告差し替えシステムの構成図。
【図２】本発明に係る差替判定手段の動作を説明したフローチャート。
【図３】本発明に係る広告判定手段の動作を説明したフローチャート。
【図４】本発明の第二の実施形態に係るテレビ広告差し替えシステムの構成図。
【発明を実施するための形態】
【００１２】
図１を参照しながら発明の第一の実施形態に係るテレビ広告差し替えシステムの概要について説明する。
【００１３】
本実施形態のテレビ広告差し替えシステム１（以下、システム１と称する）において、テレビ番組送出装置２は、放送網３を介して、テレビ番組映像データやテレビ広告映像データと共に、広告配信サーバの識別子、広告主識別子、テレビ広告識別子、広告視聴時期情報を含んだテレビ広告付加情報も放送する。テレビ録画装置４は放送網３を介してテレビ番組送出装置２から供された前記テレビ番組映像データとこれに付属するテレビ広告映像データと共に前記テレビ広告付加情報を録画する。テレビ録画装置４は、前記録画されたテレビ広告映像を再生する際、前記テレビ広告付加情報を参照し、録画されたテレビ広告の視聴時期が過ぎている判断すると、通信網５を介して、広告配信サーバ６に新しい広告の問い合わせを行う。広告配信サーバ６にて同一の広告主が提供する新しい広告があれば、テレビ録画装置４は広告当該サーバ６から新しいテレビ広告映像データの配信を受け、当初記録されたテレビ広告映像データを前記受信した新たなテレビ広告映像データに逐次的に差替えて再生する。
【００１４】
システム１に係る各装置２，４，６の具体的な構成について説明する。
【００１５】
テレビ番組送出装置２は少なくとも放送手段２１を備えている。放送手段２１は放送網３を介してテレビ番組映像データ、テレビ広告映像データと共にテレビ広告付加情報を放送する。放送網３は電波、同軸ケーブル、光ファイバなどといった伝送経路の概念を含む。放送手段２１による放送網３を介してテレビ番組映像データ、テレビ広告映像データ、テレビ広告付加情報を一つにして送信するための機能は既知の技術を適用すればよい。テレビ広告付加情報は少なくとも以下の表１で定義された「広告配信サーバの識別子」、「広告主識別子」、「テレビ広告識別子」「広告視聴時期」などを含んでいる。テレビ広告付加情報はＢＭＬデータとして送信される。
【００１６】
【表１】
2010283782.tif 000003
【００１７】
テレビ録画装置４は少なくとも記録装置４１、差替判定手段４２と映像再生手段４３とを備える。
【００１８】
記録装置４１はテレビ番組送出装置２から配信されたテレビ番組映像データ、テレビ広告映像データと共にテレビ広告付加情報を記憶する。
【００１９】
差替判定手段４２は、記録装置４１に格納された「テレビ広告付加情報」と広告配信サーバ６から供されたテレビ広告データ差替えの要否の通知とに基づき、テレビ広告映像データの差替えの要否について判断し、その結果を映像再生手段４３に通知する。
【００２０】
より具体的には、差替判定手段４２は、記録装置４１から引き出した前記テレビ広告付加情報の広告視聴時期情報を参照する。そして、前記テレビ広告映像データの視聴時期が過ぎていると判断すると、前記テレビ広告映像データを配信する広告配信サーバ６に対して前記テレビ広告付加情報に含まれる広告主識別子とテレビ広告識別子とを送信して新しい広告映像データの有無を問い合わせる。広告配信サーバ６にて新しい広告映像データへの差替えの必要があると判断された場合に、当該サーバ６から前記広告主識別子と前記テレビ広告識別子とに対応した差替え用のテレビ広告識別子を受信する。そして、同手段４２はこの識別子を映像再生手段４３に通知する。
【００２１】
映像再生手段４３は、差替判定手段４２から通知された判定結果を受けて、差替えが必要でない場合は記録装置４１に記録されていたテレビ広告映像データをそのまま図外のテレビ視聴装置に送信する。一方、差替えが必要である場合は通信網５を介して広告配信サーバ６から差替え用のテレビ広告識別子に対応した新たなテレビ広告映像データの配信を受ける。そして、前記録画されていたテレビ広告映像データを前記受信した新たなテレビ広告映像データに逐次的に差替えて前記テレビ視聴装置に送信する。尚、通信網５は電話網や携帯電話網、インターネットなどの概念を含む。
【００２２】
広告配信サーバ６は少なくとも広告判定手段６１とテレビ広告ＤＢ（データベース）６２と送信手段６３とを備える。広告判定手段６１は、テレビ録画装置４の差替判定手段４２から供された広告主識別子及びテレビ広告識別子を検索キーワードとして、テレビ広告ＤＢ（データベース）６２から同じ広告主が提供する新たな広告データを検索する。テレビ広告ＤＢ６２に格納される広告主識別子、差替え先テレビ広告識別子、差替え元テレビ広告識別子は以下の表２のように定義される。そして、広告判定手段６１は、差し替えるべきテレビ広告映像データが存在する場合、そのテレビ広告識別子を差替え判定手段４２に通知する。一方、もし差し替えるべきテレビ広告映像データが存在しない場合、差し替えるべきテレビ広告映像データが存在しないことを差替判定手段４２に通知する。送信手段６３はテレビ録画装置４の映像再生手段４３からのテレビ広告識別子を伴う送信要求に応じて当該テレビ広告識別子に対応した新たなテレビ広告映像データを送信する。
【００２３】
【表２】
2010283782.tif 000004
【００２４】
図１〜図３を参照しながらシステム１によるテレビ広告差替えの過程（Ｓ１〜Ｓ５）について説明する。
【００２５】
Ｓ１：テレビ録画装置４は放送網３を通じでテレビ番組送出装置２から供されたテレビ番組映像データやそれに付属するテレビ広告映像データとともにテレビ広告付加情報を記録装置４１に記録する。
【００２６】
Ｓ２：前記記録されたテレビ広告データが映像再生手段４３によって再生される際、差替判定手段４２は、映像再生手段４３から差替判定要求を受けて、テレビ広告の差替えの要否の判定を行う。
【００２７】
図２を参照しながら差替判定手段４２によって実行される処理ステップ（Ｓ２０１〜Ｓ２０４）について説明する。
【００２８】
Ｓ２０１：差替判定手段４２は、記録装置４１から引き出した「テレビ広告付加情報」の広告視聴時間とテレビ録画装置４の時計機能から出力された再生時の年月日とに基づき、広告視聴時期の範囲外か否かを判断する。前記年月日が広告視聴時期の範囲外である場合（Ｙｅｓ）はＳ２０２に移行し、範囲外でない場合（Ｎｏ）はＳ２０５に移行する。
【００２９】
Ｓ２０２：差替判定手段４２は「テレビ広告付加情報」に含まれる「広告主識別子」と「差替え元テレビ広告識別子」とを、通信網５を介して、広告配信サーバ６の広告判定手段６１に通知する。
【００３０】
広告判定手段６１はこの「広告主識別子」と「差替え元テレビ広告識別子」の通知を受けると図３に示されたステップ（Ｓ３０１〜Ｓ３０３）を実行する。すなわち、広告判定手段６１は受信した「広告主識別子」「差替え元テレビ広告識別子」を検索キーワードとして、広告配信サーバ６内のテレビ広告ＤＢ６２から同じ広告主が提供する新たな広告があるかどうかを検索する（Ｓ３０１）。差し替えるべきテレビ広告映像データが存在する場合（Ｙｅｓ）、そのテレビ広告識別子をテレビ録画装置４の差替判定手段４２に通知する（Ｓ３０２）。一方、もし差し替えるべきテレビ広告映像データが存在しなければ（Ｎｏ）、差し替えるべきテレビ広告映像データが存在しないことを差替判定手段６１に通知する（Ｓ３０３）。
【００３１】
Ｓ２０３：差替判定手段４２は広告配信サーバ６の広告判定手段６１から差替えるテレビ広告データの存在を知らせる通知（Ｓ３０２）を受けると（Ｙｅｓ）、Ｓ２０４に移行する。一方、差替えるテレビ広告映像データが存在しないことの通知（Ｓ３０３）を受けると（Ｎｏ）、Ｓ２０５に移行する。
【００３２】
Ｓ２０４：差替判定手段４２は広告判定手段６１を介して広告配信サーバ６のテレビ広告ＤＢ６２から引き出された「差替え先テレビ広告識別子」を受信し、これを映像再生手段４３に通知する。
【００３３】
Ｓ２０５：差替判定手段４２はテレビ広告映像データの差替えの必要がないことを映像再生手段４３に通知する。
【００３４】
Ｓ３：映像再生手段４３は、差し替えるべきテレビ広告データが広告配信サーバ６に存在した場合、すなわち、差替判定手段４２から「差替え先テレビ広告識別子」を受信した場合（Ｓ２０４）、当該識別子と差替えるべきテレビ広告映像データの要求を、通信網５を介して、広告配信サーバ６の送信手段６３に通知する。
【００３５】
Ｓ４：送信手段６３は、Ｓ３の「差替え先テレビ広告識別子」を伴うテレビ録画装置４の映像再生手段４３からの送信要求に応じて、当該テレビ広告識別子に対応した新たなテレビ広告映像データを、通信網５を介して、映像再生手段４３に送信する。
【００３６】
Ｓ５：映像再生手段４３は、広告配信サーバ６（送信手段６３）から新たなテレビ広告映像データを受信しながら、記録装置４１に当初録画されていたテレビ広告映像データを前記受信した新たなテレビ広告映像データに差替えて再生する。一方、差替判定手段４２による判定の結果、記録装置４１に録画されたテレビ広告映像データを差し替える必要がないと判断されていた場合（Ｓ２０５）、当該テレビ広告映像データをそのまま再生する。若しくは、差替判定手段４２が広告配信サーバ６への問い合わせた結果（Ｓ２０３）、差し替えるべきテレビ広告映像データが存在しなかった場合（Ｓ２０４）、記録装置４１に録画されたテレビ広告映像データをそのまま再生する。
【００３７】
テレビ録画装置４は、テレビ広告が録画された時間帯は以上のＳ１〜Ｓ５のステップを繰り返し実行し、テレビ広告映像データが録画された時間帯が終了した時点で、録画されたテレビ番組映像データの再生を再開する。
【００３８】
次に、図４を参照しながら発明の第二の実施形態に係るテレビ広告差し替えシステム１０（以下、システム１０と称する）について説明する。
【００３９】
第一の実施形態に係るシステム１は当初録画されたテレビ広告映像データを差し替える際に、広告配信サーバ６から配信される映像を受信し逐次的に再生している。
【００４０】
これに対して図４の第二の実施形態に係るシステム１０では、視聴者が録画した番組の視聴を開始した時点で、そのテレビ番組に付属するテレビ広告映像データの中で、差し替える必要があるテレビ広告の映像データを事前にテレビ録画装置４側にダウンロードする。すなわち、録画番組が再生された時点で、そのテレビ番組とともに録画されたテレビ広告付加情報を全て確認し、差し替えるべきテレビ広告があった場合には、テレビ広告の再生前に、新しいテレビ広告の映像データを広告配信サーバ６からダウンロードする。そして、テレビ録画装置４は差し替え対象があるテレビ広告を再生するタイミングで、事前にダウンロードしておいた新しいテレビ広告を再生するようにする。これにより、視聴者に不快感を与えることなく、テレビ広告映像データの差し替えを実現する。特に、広告配信サーバ６の状態や通信網５の状態による遅延の発生や正しく映像が再生されないといった問題を回避することができる。
【００４１】
システム１０では、テレビ録画装置４が「一括テレビ広告付加情報」を参照してテレビ広告映像データの差替え判定を行うこと、事前に広告配信サーバ６から一括的にダウンロードした差替え用広告映像データを再生すること以外は、システム１と基本的に同じ処理が実行される。
【００４２】
以下、システム１０に係る「一括テレビ広告付加情報」及び装置４，６に係る機能手段について説明する。
【００４３】
「一括テレビ広告付加情報」はテレビ録画装置４の記録装置４１に作成される情報であり、テレビ番組の録画時に、当該テレビ番組に付属するテレビ広告付加情報を録画しながら一括して保存された情報である。この情報は記録装置４１において録画したテレビ番組映像データごとに作成され、番組の映像データ本体とは別な領域に保存される。
【００４４】
テレビ録画装置４の差替判定手段４２は、記録装置４１で録画されたテレビ広告映像データが映像再生手段４３によって再生するにあたり、前記一括テレビ広告付加情報を参照し、録画されたテレビ広告の視聴時期が過ぎているか否かを判断する（図２のＳ２０１）。前記視聴時期が過ぎている場合、「一括テレビ広告付加情報」に含まれる「広告主識別子」と「差替え元テレビ広告識別子」とを広告配信サーバ６に通知して新しい広告があるかどうかを、問い合わせる（Ｓ２０２）。その後は、第一の実施形態と同様のステップを実行する（Ｓ２０３〜Ｓ２０５）。
【００４５】
広告配信サーバ６の送信手段６３は、広告判定手段（図３のＳ３０１，Ｓ３０２）によって検索された新たなテレビ広告映像データをテレビ録画装置４の要求（図４のＳ３）に基づき送信する。本実施形態では、必要なテレビ広告映像データを一括してテレビ録画装置４に送信する（図４のＳ４）。
【００４６】
テレビ録画装置４の映像再生手段４３は、差替判定手段４２によって差し替えるべきテレビ広告映像データが広告配信サーバ６に存在していると判断されている場合、当該テレビ広告識別子を同サーバ６に通知して当該テレビ広告映像データを要求する（Ｓ３）。そして、録画したテレビ番組映像データを再生しながら、当該必要なテレビ広告映像データを一括して広告配信サーバ６の送信手段６３からの配信をうけ（Ｓ４）、テレビ録画装置４の内に一時的に蓄積（保存）する。次いで、記録装置４１に録画されたテレビ番組映像データの再生時に、当初録画されたテレビ広告映像を前記予め蓄積しておいたテレビ広告映像データに差し替えて再生する（Ｓ５）。一方、差替判定手段４２による判定の結果、記録装置４１に録画されたテレビ広告映像データを差し替える必要がないと判断された場合（Ｓ２０５）、当該テレビ広告映像データをそのまま再生する。若しくは、差替判定手段４２が広告配信サーバ６への問い合わせた結果（Ｓ２０３）、差し替えるべきテレビ広告映像データが存在しなかった場合（Ｓ２０４）、記録装置４１に録画されたテレビ広告映像データをそのまま再生する。
【００４７】
以上のように本発明に係るシステム１，１０によれば、地上デジタル波テレビジョン方式では不可能であった録画された番組に付属する、テレビ広告の内容を差し替えることが可能になる。具体的には、録画されたテレビ広告と同じ広告主が提供する広告であれば、再生された時期に応じて、広告主が希望する視聴時期を過ぎたテレビ広告を、新たに作成されたテレビ広告に差し替えることができる。このことによって広告主は、録画された番組が再生された時期に応じた適切な広告を視聴者に提供することができる。特に、システム１０によれば差し替えられた新しい広告を再生するときに、広告差し替えのための時間がかかるといった不快感を視聴者に与えない。
【００４８】
また、本発明の実施形態に係るシステム１，１０を機能手段４１〜４３は、コンピュータのハードウェアリソース、例えばＣＰＵ、メモリ（ＲＡＭ）、ハードディスク装置、通信デバイス等によって構成できる。すなわち、テレビ録画装置４に係る機能手段４２，４３はＣＰＵとプログラムとの協働によって実現できる。また、機能手段４１はハードディスク装置によって実現できる。
【００４９】
さらに、本発明は、上述の実施形態に係る機能手段４２，４３をコンピュータに実現させるプログラムまたはこれを記録したコンピュータ読み取り可能な記録媒体の態様としてコンピュータのＣＰＵ（ＭＰＵ）が当該プログラムを読み出し実行することで実現できる。その場合、記録媒体から読み出されたプログラム自体が上述した実施の形態の機能を実現することになり、そのプログラムを記憶した記録媒体、例えばＣＤ−ＲＯＭ、ＤＶＤ−ＲＯＭ、ＣＤ−Ｒ、ＭＯ、ＨＤＤ等は本発明を構成する。
【符号の説明】
【００５０】
１、１０…テレビ広告差替えシステム
２…テレビ番組送出装置
４…テレビ録画装置
６…広告配信サーバ
４１…記録装置（記録手段）
４２…差替判定手段
４３…映像再生手段
６１…広告判定手段
６２…テレビ広告ＤＢ（データベース）
６３…送信手段
【図１】
2010283782.tif 000005
【図２】
2010283782.tif 000006
【図３】
2010283782.tif 000007
【図４】
2010283782.tif 000008